(57)【要約】【課題】天井への設置が容易で、且つ、地震の際にも落下することのない防煙垂幕のパネル及びこのパネルを組み合わせた防煙垂幕を提供する。【解決手段】パネル１は、ガラスに代えて固定枠１０の内側に不燃性シート２０を張った構造を有している。そのため、ガラス製で１０ｋｇの重量を有するパネルと同じ大きさのものであれば、約２ｋｇ程度の重さとなり、このパネル１を用いれば、従来のパネルに比べ非常に軽量なので、防煙垂幕として天井に容易に設置することができる。また、このパネル１は、非常に軽量なので、地震の際に落下する危険性が低く、しかも、仮に落下してもガラスのように危険ではないので、落下して割れて散乱したガラスが人を傷つける二次災害の虞もなく、上述した防煙垂幕として天井に設置すれば、火災が発生した一の区画から他の区画に煙が移動することを防止できる。【選択図】図１
0003169052.tif 000002
【実用新案登録請求の範囲】
【請求項１】
建物内側の上部空間を仕切る防煙垂幕用のパネルであって、
予め定められた大きさの固定枠の内側に透光性の不燃性シートを張ったことを特徴とする防煙垂幕用のパネル。
【請求項２】
請求項１に記載のパネルにおいて、
前記固定枠は、
固定枠本体と、
断面Ｌ字状に形成されたアングルと
を備え、
前記固定枠本体と前記アングルとの間に前記不燃性シートを挟み、前記アングルを前記固定枠本体に固定することで、前記不燃性シートを前記固定枠に固定することを特徴とするパネル。
【請求項３】
請求項１〜２のいずれか１項に記載のパネルにおいて、
対向する前記各固定枠が互いに近づくことを防止するテンションロッドを備えることを特徴とするパネル。
【請求項４】
請求項１〜３のいずれか１項に記載された複数のパネルを直線状に並べて形成したことを特徴とする防煙垂幕。
【考案の詳細な説明】
【技術分野】
【０００１】
本考案は、建物内側の上部空間を仕切る防煙垂幕用のパネル、及び、このパネルを用いた防煙垂幕に関する。
【背景技術】
【０００２】
建物の内部は、複数の箇所に意図的に区画されており、そのうちの一の区画で火災が発生したときに、その一の区画で天井に達した煙が、他の区画に移動することを防止するため、各区画の境界線となる天井部分に防煙垂幕が取り付けられている。
【０００３】
この防煙垂幕は、複数のパネルを直列に並べて構成されており、このパネルとしては、従来、所定の大きさの固定枠の内側に、網入りガラスや磨りガラス等のガラス製品が嵌め込まれたものが用いられている。
【考案の概要】
【考案が解決しようとする課題】
【０００４】
しかし、ガラスを使用したパネルは、一般的なもので１０ｋｇ前後の重量があり、地震があった場合、天井から落下すると危険であり、また、落下して割れて散乱したガラスが人を傷つける二次災害の虞もある。
【０００５】
また、ガラスを使用したパネルは重量があるので、天井に設置する際に作業員に重労働を強いることとなる。
そこで、本考案は、天井への設置が容易で、且つ、地震の際にも落下することのない防煙垂幕のパネル及びこのパネルを組み合わせた防煙垂幕を提供することを目的とする。
【課題を解決するための手段】
【０００６】
上記目的を達成するため、請求項１に記載された防煙垂幕は、建物内側の上部空間を仕切る防煙垂幕用のパネルであって、予め定められた大きさの固定枠の内側に透光性の不燃性シートを張ったことを特徴とする。
【０００７】
このパネルは、ガラスに代えて不燃性シートを用いているので、ガラス製で１０ｋｇの重量を有するパネルと同じ大きさのものであれば、約２ｋｇ程度の重さとなる。そのため、このパネルを用いれば、従来のパネルに比べ非常に軽量なので、防煙垂幕として天井に容易に設置することができる。
【０００８】
また、このパネルは、非常に軽量なので、地震の際に落下する危険性が低く、しかも、仮に落下してもガラスのように危険ではないので、上述した二次災害の虞もない。
さらに、このパネルは、不燃性シートで形成されているので、上述した防煙垂幕として天井に設置すれば、火災が発生した一の区画から他の区画に煙が移動することを防止できる。
【０００９】
尚、不燃性シートとしては、例えば、合成樹脂含浸ガラスクロスを用いると良い。
次に、本考案のパネルは、請求項２に記載したように、固定枠としては、固定枠本体と、断面Ｌ字状に形成されたアングルとを備えるものを用いるとよい。この場合、不燃性シートをこの固定枠に固定するには、固定枠本体とアングルとの間に不燃性シートの端を挟み、アングルを固定枠本体に固定するだけでよい。
【００１０】
この固定枠を用いると、不燃性シートを備えたパネルを非常に簡単な作業で組み立てることができる。
次に、請求項３に記載したように、固定枠に不燃性シートを張ると、対向する各固定枠が不燃性シートに引っ張られ互いに近づく可能性がある。その場合、対向する各固定枠が互いに近づくことを防止するため、対向する固定枠間にテンションロッドを備えることが好ましい。
【００１１】
尚、本考案のパネルを用いて防煙垂幕を形成する場合、請求項４に記載したように、複数のパネルを直線状に並べて形成するとよい。
【図面の簡単な説明】
【００１２】
【図１】本実施形態の防煙垂幕用のパネルの説明図で、（ａ）はパネルの平面図、（ｂ）は（ａ）のＡ−Ａ断面図、（ｃ）は（ａ）のＡ’−Ａ’断面図、（ｄ）は（ａ）のＢ−Ｂ断面図である。
【図２】本実施形態の防煙垂幕を建物に設置する様子とともに、一部を切り欠いた図で示した斜視図である。
【図３】（ａ）本実施形態の防煙垂幕を建物に設置する様子と示す正面図で、建物側の構造物については断面図、防煙垂幕については透過図で示している。（ｂ）本実施形態の防煙垂幕を建物に設置する様子と示す側面図で、断面図で示している。
【考案を実施するための形態】
【００１３】
以下に本考案の実施形態を図面と共に説明する。
本実施形態の防煙垂幕用のパネル１は、図１（ａ）に示すように、長方形状に形成された固定枠１０と、この固定枠１０の内側に張られた透光性の不燃性シート２０とを備えている。
【００１４】
固定枠１０は、一対の長尺部１２と、これらに対して垂直に配置された一対の短尺部１４と、テンションロッド１６とを備えている。
このうち長尺部１２は、図１（ｂ）（ｃ）に示すように、長尺部本体１２ａと、アングル１２ｂとを備え、短尺部１４は、図１（ｄ）に示すように、短尺部本体１４ａと、一対のアングル１４ｂ、１４ｃとを備えている。
【００１５】
長尺部本体１２ａ及び短尺部本体１４ａは、それぞれの長手方向に垂直な断面形状が、厚み方向（固定枠１０が形成する長方形状の面に対して垂直な方向）に対して幅方向に長い長方形状に形成されている。
【００１６】
アングル１２ｂは、長手方向に沿った断面がＬ字状に形成されており、長尺部本体１２ａの幅方向に沿った面であって、パネル１の表側を向いた面（図１（ａ）の表側の面）と、長尺部本体１２ａの厚み方向に沿った面であって、不燃性シート２０が張られる内側とは反対側の外側の面に当接するように、長尺部本体１２ａに取り付けられる。
【００１７】
アングル１４ｂ及び１４ｃは、長尺に形成されるとともに長手方向に沿った断面がＬ字状に形成されている。
このうちアングル１４ｂは、短尺部本体１４ａの幅方向に沿った面であって、パネル１の表側を向いた面（図１（ａ）の表側の面）と、短尺部本体１４ａの厚み方向に沿った面であって、不燃性シート２０が張られる内側とは反対側の外側の面に当接するように、短尺部本体１４ａに取り付けられる。
【００１８】
また、アングル１４ｃは、短尺部本体１４ａの幅方向に沿った面であって、パネル１の裏面を向いた面（図１（ａ）の裏側の面）と、短尺部本体１４ａの厚み方向に沿った面であって、不燃性シート２０が張られる内側に当接するように、短尺部本体１４ａに取り付けられる。
【００１９】
テンションロッド１６は、一方の長尺部本体１２ａの長手方向の中間位置から、他方の長尺部本体１２ａの長手方向の中間位置に、これら一対の長尺部本体１２ａを渡して設置されている。
【００２０】
不燃性シート２０は、合成樹脂含浸ガラスクロス（建築基準法第６８条の２６第１項の規定に基づき認定された認定番号ＮＭ−２８２０の製品）で構成された透光性の薄膜であり、固定枠１０内に張られる。
【００２１】
次に、パネル１の組み立て方法について説明する。
まず、一対の長尺部本体１２ａ及び一対の短尺部本体１４ａとを組み合わせて、長方形状の枠を形成する。
【００２２】
次に、長尺部本体１２ａ及び短尺部本体１４ａとを組み合わせて形成された長方形状の枠の上に、これらを組み合わせて形成された長方形よりも一回り大きな面積の長方形状の不燃性シート２０を、この枠の上に載せる。
【００２３】
そして、各長尺部本体１２ａ及び各短尺部本体１４ａと、アングル１２ｂ及びアングル１４ｂとの間に不燃性シート２０の端部を挟みつつ、アングル１２ｂ及びアングル１４ｂを、各長尺部本体１２ａ及び各短尺部本体１４ａに組み付け、ネジ止めする。
【００２４】
さらに、短尺部本体１４ａに対しては、アングル１４ｃを組み付けてネジ止めする。このとき短尺部本体１４ａの軸周りの面は、これらアングル１２ｂ及び１２ｃでで包まれる。
【００２５】
すると、固定枠１０内に不燃性シート２０が張られたパネル１が形成される。
次に、以上説明したパネル１を用いて、建物の天井部分に防煙垂幕３を設置する工法について図２及び図３を用いて説明する。この工法は従来から用いられている工法と同じで、以下に示す（１）〜（５）の手順で作業が行われる。
【００２６】
（１）まず、図２に示すように、建物の内部を区画する境界線に沿って、下方に開口する断面略コ字状のレール３０を、建物の天井にネジ止め等により固定する。このとき、天井の裏側に柱やレール（野縁）等が設置されている場合、これらに対してネジ止めするとよい。
【００２７】
（２）図３（ａ）に示すように、レール３０の長手方向に沿って所定間隔毎に、下端がＴ字状に形成された吊棒３２をレール３０に固定する。
（３）各吊棒３２間にパネル１を運び、各パネル１の上方側となる一方の長尺部１２をレール３０内に挿入しつつ、各パネル１の長手方向の下端を各吊棒３２の先端のＴ字部分に引っ掛ける。そして、この際、各パネル１の間には、断面がＨの字状に形成されたジョイントパッキン３４が各パネル１の短尺部本体１４ａに嵌め込まれる。このジョイントパッキン３４が嵌め込まれることで、パネル１間の隙間が埋められる。
【００２８】
（４）図３（ｂ）に示すように、パネル１の長尺部１２をレール３０内に挿入したとき、レール３０と長尺部１２との間にできる隙間に、シリコン製のパテを充填する。
（５）最後に、長手方向に垂直な断面がコ字状に形成された長尺な下端通しフレーム３６を各パネル１の下端に嵌め込む。この下端通しフレームは、パネル１の下方の長尺部１２が挿入されると、パネル１に固定される。
【００２９】
以上説明したように、パネル１を用いて防煙垂幕３を建物の天井に設置すると以下のような作用効果がある。
本実施形態のパネル１は、ガラスに代えて不燃性シート２０を用いているので、ガラス製で１０ｋｇの重量を有するパネルと同じ大きさのものであれば、約２ｋｇ程度の重さとなる。そのため、このパネル１を用いれば、従来のパネルに比べ非常に軽量なので、防煙垂幕３として天井に容易に設置することができる。
【００３０】
また、このパネル１は、非常に軽量なので、地震の際に落下する危険性が低く、しかも、仮に落下してもガラスのように危険ではないので、落下して割れて散乱したガラスが人を傷つける二次災害の虞もない。
【００３１】
さらに、このパネル１は、不燃性シート２０で形成されているので、上述した防煙垂幕として天井に設置すれば、火災が発生した一の区画から他の区画に煙が移動することを防止できる。
【００３２】
次に、本実施形態のパネル１は、固定枠１０の長尺部１２が、長尺部本体１２ａと、断面Ｌ字状に形成されたアングル１２ｂとで構成されているので、不燃性シート２０をこの固定枠１０に固定するには、長尺部１２の長尺部本体１２ａとアングル１２ｂとの間に不燃性シート２０の端を挟み、アングル１２ｂを長尺部本体１２ａに固定するだけでよい。
【００３３】
この固定枠１０を用いると、不燃性シート２０を備えたパネル１を非常に簡単な作業で組み立てることができる。
次に、本実施形態のパネル１は、対向する各長尺部１２を渡すテンションロッド１６が備えられ、このテンションロッド１６により各長尺部１２同士が近づかないようにしているので、固定枠１０に不燃性シート２０を張っても、各長尺部１２が不燃性シート２０に引っ張られて互いに近づくことを防止できる。
【００３４】
また、本実施形態のパネル１は、重量を軽くしつつ、大きさや形状が従来の規格品と同じ様に構成することができるので、防煙垂幕３用のどのような既存の設備に対して設置することができる。
【００３５】
（その他の実施形態）
本考案は、実用新案登録請求の範囲に記載された考案の趣旨に合致するものであればよく、上述の実施形態に限定されるものではない。
【符号の説明】
【００３６】
１…パネル、３…防煙垂幕、１０…固定枠、１２…長尺部、１２ａ…長尺部本体、１２ｂ…アングル、１４…短尺部、１４ａ…短尺部本体、１４ｂ…アングル、１４ｃ…アングル、１６…テンションロッド、２０…不燃性シート、３０…レール、３２…吊棒、３４…ジョイントパッキン、３６…下端通しフレーム。
【図１】
0003169052.tif 000003
【図２】
0003169052.tif 000004
【図３】
0003169052.tif 000005